(57)【要約】【課題】ブレーカユニットを薄型化することができるコンセントを提供する。【解決手段】少なくとも１以上の差込プラグ接続部１１を備えたコンセントユニット３と、電源線を接続するための電源端子２１と、差込プラグ接続部１１への電源供給を遮断する遮断機構部１９とを備えたブレーカユニット４を左右に組み合わせて、ＪＩＳ規格で規格化された大角型連用配線器具の取付枠２に固定される３個モジュール寸法に形成される埋込形のコンセント１において、ブレーカユニット４の幅方向と直交する方向に複数の電源端子２１を略一列に設ける。【選択図】図１
2007042408.tif 000002
【特許請求の範囲】
【請求項１】
少なくとも１以上の差込プラグ接続部を備えたコンセントユニットと、電源線を接続するための電源端子と、前記差込プラグ接続部への電源供給を遮断する遮断機構部とを備えたブレーカユニットを左右に組み合わせて、ＪＩＳ規格で規格化された大角型連用配線器具の取付枠に固定される３個モジュール寸法に形成される埋込形のコンセントにおいて、前記ブレーカユニットの幅方向と直交する方向に前記電源端子を略一列に設けたことを特徴とするコンセント。
【発明の詳細な説明】
【技術分野】
【０００１】
本発明は、異常時に電路を遮断する遮断機構を備え、取付枠を介して壁面に埋め込んで使用される埋込形のコンセントに関する。
【背景技術】
【０００２】
少なくとも１以上の差込プラグ接続部と、漏電発生時に差込プラグ接続部への電源供給を遮断する遮断機構部とを備え、ＪＩＳ規格で規格化された大角型連用配線器具の取付枠に固定される３個モジュール寸法に形成される埋込形のコンセントは、ケースに差込プラグ接続部と遮断機構部を収納し、ケースの背面に複数の電源端子を幅方向に略一列に設けていた（例えば、特許文献１参照。）。
【０００３】
【特許文献１】実公昭６２−１４６１９号公報
【発明の開示】
【発明が解決しようとする課題】
【０００４】
しかしながら、生産性を向上するためにコンセントを構成する遮断機構部と差込プラグ接続部とをブレーカユニットとコンセントユニットとに夫々ユニット化して左右に組み合わせる形状に形成した場合、ブレーカユニットの幅方向に電源端子を設けるとケースの幅寸法が大きくなるという問題があった。
【課題を解決するための手段】
【０００５】
本発明は、少なくとも１以上の差込プラグ接続部を備えたコンセントユニットと、電源線を接続するための電源端子と、差込プラグ接続部への電源供給を遮断する遮断機構部とを備えたブレーカユニットを左右に組み合わせて、ＪＩＳ規格で規格化された大角型連用配線器具の取付枠に固定される３個モジュール寸法に形成される埋込形のコンセントにおいて、ブレーカユニットの幅方向と直交する方向に電源端子を略一列に設けたことを特徴とする。
【発明の効果】
【０００６】
本発明によれば、ブレーカユニットを薄型化することができるという効果がある。
【発明を実施するための最良の形態】
【０００７】
少なくとも１以上の差込プラグ接続部を備えたコンセントユニットと、電源線を接続するための電源端子と、差込プラグ接続部への電源供給を遮断する遮断機構部とを備えたブレーカユニットを左右に組み合わせて、ＪＩＳ規格で規格化された大角型連用配線器具の取付枠に固定される３個モジュール寸法に形成される埋込形のコンセントにおいて、ブレーカユニットの幅方向と直交する方向に複数の電源端子を略一列に設ける。
【実施例１】
【０００８】
本発明に係るコンセントの実施例１を図１〜図５の添付図面に基づいて説明する。
【０００９】
コンセント１はＪＩＳ規格（日本工業規格）で規格化された大角形連用配線器具の取付枠（ＪＩＳ  Ｃ  ８３７５−１９９２）２と、左右に組み合わせることで取付枠に取付可能な３個モジュール寸法（ＪＩＳ  Ｃ  ８３０３−１９９３）に形成されるコンセントユニット３とブレーカユニット４とで構成している。
【００１０】
コンセントユニット３は、箱状のケース１０に負荷機器の差込プラグの栓刃（図示せず）が接続される複数の差込プラグ接続部１１を備え、差込プラグ接続部１１はケース１０の内部に収納される１対の受刃１１ａ，１１ａと、受刃１１ａ，１１ａと対向するケース１０の前面に形成されて差込プラグの栓刃を挿入するためのプラグ挿入口１１ｂ，１１ｂとで構成している。また、差込プラグの栓刃間に発生するトラッキングを検出するための検出部１３と、検出部１３からの信号により異常を検出して遮断信号を出力する異常検出回路を実装したプリント基板１４とを備え、検出部１３は受刃１１ａ，１１ａ間に設けられて検出部１３と対向するケース１０には検出孔１０ａが形成され、プリント基板１４は受刃１１ａ，１１ａの背部スペースに収納されている。異常検出回路から出力される遮断信号はケース１０の背面から延びる信号線１６を介してブレーカユニット４に伝送されるようになっている。尚、コンセントユニット３は少なくとも１つの差込プラグ接続部１１を備えていれば良く、また、アース端子１７などその他の配線器具を組み合わせても良く、組み合わせは適宜に変更することができる。
【００１１】
また、ブレーカユニット４は、箱状のケース１８の内部に遮断信号を受けると図示しない開閉接点を開離して電路を遮断する遮断機構部１９を内部に収納し、前面に遮断機構部１９の開閉接点を開閉操作するための操作ハンドル２０が起倒可能に設けられ、背面に電源線２５を接続するための４つの差込式の電源端子２１がケース１８の幅方向に略一列に設けられ、電源端子２１は図２示で上側２つと下側２つが一体に形成されて上下で極性の異なる電源線２５が接続されるようになっており、夫々の極の電源端子２１の近傍には治具２６を差し込むことにより電源端子２１に接続された電源線２５の接続を解除する解除部２２が設けられている。電源端子２１はケース１８に形成された差込孔２１ａと、電路に接続される略Ｅ字形の端子板２１ｂと、端子板２１ｂのＥ字の中央の片２１ｂａの両側に対称に組み付けられて電源線２５を端子板２１ｂの外側の片２１ｂｂに押圧する略Ｓ字状の押圧片２１ｃａと電線が抜けないように鎖錠する鎖錠片２１ｃｂとで成る鎖錠バネ２１ｃとで構成している。解除部２２はケース１８に形成された長孔形状の解除孔２２ａと、電源線２５の挿抜方向に進退自在に設けられた略コ字状の解除部材２２ｂとで構成している。電源端子２１に電源線２５を接続するには電源端子２１の差込孔２１ａに電源線２５を差し込むだけで行われ、鎖錠バネ２１ｃの鎖錠片２１ｃｂが電源線２５に食い込むことにより抜けないように鎖錠されるとともに押圧片２１ｃａが電源線２５を端子板２１ｂに押圧することにより電気的に接続される。電源端子２１から電源線２５を抜き取るには図４に示すように解除部２２の解除孔２２ａに治具２６を差し込み、解除部材２２ｂをケース１８内に押し込むことにより、解除部材２２ｂの脚部２２ｂａが鎖錠バネ２１ｃの鎖錠片２１ｃｂを押圧し変形させて鎖錠が解除するので電源線２５を抜き取ることができる。また、ケース１８の背面から延びる可撓導線２３がコンセントユニット３に接続されて各差込プラグ接続部１１とプリント基板１４に電源を供給するようになっている。
【００１２】
コンセントユニット３とブレーカユニット４は図示しない係合手段により左右に組み合わされ、取付枠２の開口部２ａにこれらのユニットの前面部を嵌めた上で例えばネジ止めやカシメ止めなどの固定手段により固定される。そして、取付枠２の取付孔２ｂを取付ネジ（図示せず）で壁面に埋設されたスイッチボックス（図示せず）に螺着し、取付枠２の前面にフラッシプレート９を装着して設置される。
【００１３】
こうして設置されたコンセント１はブレーカユニット４の操作ハンドル２０をオンにして使用され、トラッキングが発生するとコンセントユニット３の検出孔１０ａを介して検出部１３が検出し、検出部１３の検出信号により異常検出回路がトラッキングであると判定すると信号線１６を介してブレーカユニット４へ遮断信号を出力し、ブレーカユニット４の遮断機構部１９は遮断信号を受けると作動して電路を遮断し、操作ハンドル２０はオフするようになっている。
【００１４】
尚、本実施例ではトラッキングを検知して電路を遮断するようになっているが、過負荷、漏電、コード短絡、地震などを検知して電路を遮断するようにしても良い。また、ブレーカユニット４とコンセントユニット３の接続方法についても、例えば、コネクタ接続にするなど接続方法に限定はなく、また、図６に示すようにブレーカユニット４とコンセントユニット３を樹脂製の収納ケース３０に収納して取付枠２に取り付けるように形成しても良く、コンセントの形状及び構造について本発明の趣旨を逸脱しない範囲で適宜に変更して実施することが可能である。
【図面の簡単な説明】
【００１５】
【図１】本発明に係るコンセントを示し、（ａ）は正面図、（ｂ）は背面図、（ｃ）は底面図である。
【図２】本発明に係るコンセントのブレーカユニットを示す背面図である。
【図３】図２のＡ−Ａ線断面図である。
【図４】電源端子から電線を抜き取る様子を示す説明図である。
【図５】本発明に係るコンセントにフラッシプレートを取り付けた状態の正面図である。
【図６】本発明に係るコンセントの変形実施例を示す横断面図である。
【符号の説明】
【００１６】
１    コンセント
２    取付枠
３    コンセントユニット
４    ブレーカユニット
１１    差込プラグ接続部
１８    ケース
１９    遮断機構部
２１    電源端子
２２    解除部
２５    電源線
【図１】
2007042408.tif 000003
【図２】
2007042408.tif 000004
【図３】
2007042408.tif 000005
【図４】
2007042408.tif 000006
【図５】
2007042408.tif 000007
【図６】
2007042408.tif 000008